(57)【要約】【課題】エネルギー消費の少ないミスト噴霧システムを得る。【解決手段】ミスト噴霧システムは、前方が広く空間に開放されるとともに後方に壁及び上方に天井が設けられる席が複数横並びに併設される施設を降温するミスト噴霧システムであって、上記各席に対してミストを噴霧する噴霧ノズルと、水を加圧する加圧給水装置と、上記加圧給水装置から延ばされる主配管と、上記主配管から分岐されて上記各噴霧ノズルに接続される子配管と、上記子配管を開閉する開閉制御弁と、を備え、さらに、上記各開閉制御弁を開閉する制御手段を有する。【選択図】図１
2010230254.tif 000002
【特許請求の範囲】
【請求項１】
前方が広く空間に開放されるとともに後方に壁及び上方に天井が設けられる席が複数横並びに併設される施設を降温するミスト噴霧システムであって、
上記各席に対してミストを噴霧する噴霧ノズルと、水を加圧する加圧給水装置と、上記加圧給水装置から延ばされる主配水管と、上記主配水管から分岐されて上記各噴霧ノズルに接続される子配水管と、上記子配水管を開閉する開閉制御弁と、を備え、
さらに、上記各開閉制御弁を開閉する制御手段を有することを特徴とするミスト噴霧システム。
【請求項２】
上記制御手段は、上記打席の使用状況により上記各開閉制御弁を開閉することを特徴とする請求項１に記載のミスト噴霧システム。
【請求項３】
上記制御手段は、使用されているが使用している人が噴霧を希望しない上記席に対する上記開閉制御弁を閉鎖することを特徴とする請求項２に記載のミスト噴霧システム。
【請求項４】
上記制御手段は、使用されている上記席に対する上記開閉制御弁を開放するとともに該席に連なる上記席に対応する上記開閉制御弁を開放することを特徴とする請求項２に記載のミスト噴霧システム。
【発明の詳細な説明】
【技術分野】
【０００１】
この発明は、複数の打席を個別に冷房するミスト噴霧システムに関する。
【背景技術】
【０００２】
ゴルフ練習場は、横並びに複数の打席があって、各打席から前方の広い空間に打球を飛ばせる施設であり、ゴルフ練習場のスポット冷房装置では打席エリアと休息エリアに冷風を送っている。このスポット冷房装置は、切換えダンパーで切換えられる複数の冷風吹出口と設けたスポット冷房機を屋根側等の上方に配置し、練習打席用冷風吹出口に接続した送風ダクトの吐出口を打席エリアの上方に臨ませ、休息用冷風吹出口に接続した休息用送風ダクトの吐出口を休息エリアの上方に臨ませ、この打席エリアと休息エリアの双方に冷風を送る（例えば、特許文献１参照）。
【先行技術文献】
【特許文献】
【０００３】
【特許文献１】特開平０５−０９３５４３号公報
【発明の概要】
【発明が解決しようとする課題】
【０００４】
しかし、冷風を各打席エリアに吹き出して温かい空気と置換するためには強い冷風を発生させなければならないために大きなエネルギーを消費してしまうという問題がある。
【０００５】
この発明は、前記のような課題を解決するためになされたものであり、エネルギー消費の少ないミスト噴霧システムを得ることを目的とする。
【課題を解決するための手段】
【０００６】
この発明に係るミスト噴霧システムは、前方が広く空間に開放されるとともに後方に壁及び上方に天井が設けられる席が複数横並びに併設される施設を降温するミスト噴霧システムであって、上記各席に対してミストを噴霧する噴霧ノズルと、水を加圧する加圧給水装置と、上記加圧給水装置から延ばされる主配水管と、上記主配水管から分岐されて上記各噴霧ノズルに接続される子配水管と、上記子配水管を開閉する開閉制御弁と、を備え、さらに、上記各開閉制御弁を開閉する制御手段を有する。
【発明の効果】
【０００７】
この発明に係るミスト噴霧システムによれば、打席の上後方からミストを噴霧してミストが蒸散する過程で周囲の空気から熱を奪って空気を降温し空気の下降流を打席に流すので、消費する電力量が少ないミスト噴霧システムを得ることができる。
【図面の簡単な説明】
【０００８】
【図１】この発明の実施の形態１に係るミスト噴霧システムの構成を示す構成図である。
【図２】ミスト噴霧システムの噴霧ノズルがゴルフ練習場の通路の天井付近に設置されている様子を示す図である。
【図３】ミスト制御盤の機能ブロック図である。
【図４】ミスト制御盤がミスト噴霧システムを制御してミストの噴霧を開始及び停止する手順を示すフローチャートである。
【図５】この発明の実施の形態２に係るミスト噴霧システムの構成を示す構成図である。
【図６】この発明の実施の形態３に係るミスト噴霧システムの構成を示す構成図である。
【発明を実施するための形態】
【０００９】
実施の形態１．
図１は、この発明の実施の形態１に係るミスト噴霧システムの構成を示す構成図である。図２は、ミスト噴霧システムの噴霧ノズルがゴルフ練習場の通路の天井付近に設置されている様子を示す図である。
この発明の実施の形態１に係るミスト噴霧システムは、施設としてゴルフ練習場を例に挙げ、ゴルフ練習場の打席周辺の温度を個別に降下させるために設置する。なお、施設としてゴルフ練習場以外にもバッティングセンタ、釣り堀など多数の席が配列されている場所の降温に適用できる。また、ゴルフ練習場の打席は複数としてＮ個の打席が連続してあるとする。
【００１０】
この発明の実施の形態１に係るミスト噴霧システム１は、図１に示すように、水を加圧して送水する加圧給水装置５、加圧給水装置５から送水された水が流れる主配水管２、主配水管２から分岐される子配水管４ａ〜４Ｎ、子配水管４ａ〜４Ｎの先端に接続される噴霧ノズル３、子配水管４ａ〜４Ｎを開閉する開閉制御弁６ａ〜６Ｎを備える。なお、加圧給水装置５には水道７から水が供給されている。
【００１１】
加圧給水装置５は、水を加圧する高圧ポンプ１１、高圧ポンプ１１から送水される水を主配水管２に給水する元弁１２、主配水管２内の水圧を低減するとき開放する排水弁１３、開閉制御弁６ａ〜６Ｎ及び高圧ポンプ１１、元弁１２、排水弁１３を制御するミスト制御盤１４を備える。
【００１２】
主配水管２は、図２に示すように打席の後方の天井で支えられている。
子配水管４は、主配水管２から分岐され前方に向かって水平に延び、先端が所定の角度２２．５度傾いている。なお、調達の関係から、例えば４５度であっても良い。
噴霧ノズル３は、中心軸が２２．５度お辞儀するように傾いている。噴霧ノズル３の設置高度は、例えば４ｍである。なお、噴霧ノズル３の設置高度は、ミストの平均粒径および最大粒径に依存して定められるべきであるが、設置場所の状況に合わせて良い。
【００１３】
ミスト制御盤１４は、図３に示すように、予め決められたミスト噴霧システム１の運転を開始する時刻および運転を終了する時刻が記憶されている記憶手段２１と、各打席に対応する噴霧ノズル３からのミストの噴霧を開始及び停止を制御する制御手段２２とを有する。また、ミスト制御盤１４は、内部時計２３を有している。
【００１４】
図４は、ミスト制御盤１４がミスト噴霧システム１を制御してミストの噴霧を開始及び停止する手順を示すフローチャートである。
次に、ミスト制御盤１４がミスト噴霧システム１を制御してミストの噴霧を開始及び停止する手順を説明する。なお、ミスト制御盤１４には図示しない温湿度計からの信号線が接続され、ミスト制御盤１４は温度及び湿度が所定の条件を満たしたときだけミストを自動的に噴霧する。なお、これ以外にも、タイマ等によって毎日所定の時刻で開始及び停止するようにしても良い。そして、以下の手順は温度及び湿度が所定の条件を満たしており、ミストを噴霧することができるときの手順である。温度または湿度が所定の条件を満たしていないときには打席が使用されていてもミストは噴霧しない。
【００１５】
ステップＳ１０１において、ミスト制御盤１４は、ミスト噴霧システム１を運転開始する時刻か否かを判断し、運転開始する時刻の場合ステップＳ１０２に進み、運転開始する時刻ではない場合ステップＳ１０１を繰り返す。
【００１６】
ステップＳ１０２において、ミスト制御盤１４は、元弁１２を開放すると同時に排水弁１３を開放する。
次に、ステップＳ１０３において、ミスト制御盤１４は、高圧ポンプ１１をＯＮして、加圧水を主配水管２に送水する。そうすると、主配水管２内に残っている空気が排水弁１３から水と一緒に押し出されて、主配水管２内が均一な水圧が掛かるようになる。
次に、ステップＳ１０４において、ミスト制御盤１４は、排水弁１３を閉鎖し、主配水管２内の水圧が所望の水圧、例えば、６ＭＰａに達する。
【００１７】
次に、ステップＳ１０５において、ミスト制御盤１４は、受付システム１５から打席の使用の新たな申し込みがあるか否かを判断し、新たな申し込みがある場合Ｓ１０７に進み、新たな申し込みがない場合Ｓ１０６に進む。
ステップＳ１０６において、ミスト制御盤１４は、受付システム１５から打席の使用の終了があるか否かを判断し、使用の終了がある場合Ｓ１０８に進み、使用の終了がない場合Ｓ１０９に進む。
ステップＳ１０７において、ミスト制御盤１４は、使用の新たな申し込みがあった打席に対応する開閉制御弁６を開放してＳ１０９に進む。すると、加圧水が子配水管４を経由して噴霧ノズル３に供給される。このようにして使用が開始される打席に対応する噴霧ノズル３からミストが噴霧されて打席の周辺が冷房される。
ステップＳ１０８において、ミスト制御盤１４は、使用の終了があった打席に対応する開閉制御弁６を閉鎖してＳ１０９に進む。すると、加圧水の噴霧ノズル３への給水が停止され、ミストの噴霧が中止される。
【００１８】
ステップＳ１０９において、ミスト制御盤１４は、ミスト噴霧システム１を運転終了する時刻か否かを判断し、運転終了する時刻の場合Ｓ１１０に進み、運転終了する時刻でない場合Ｓ１０５に戻る。
ステップＳ１１０において、ミスト制御盤１４は、排水弁１３を開放して主配水管２内の水圧を減少させる。
ステップＳ１１１において、排水弁１３が開放されてから約３秒経過後高圧ポンプ１１をＯＦＦし、その後、元弁１２と排水弁１３とを閉じる。
【００１９】
このように、実施の形態１によれば、打席の上後方からミストを噴霧してミストが蒸散する過程で周囲の空気から熱を奪って空気を降温し空気の下降流を打席に流すので、消費する電力量が少ないミスト噴霧システムを得ることができる。
また、使用される打席の周辺だけにミストを噴霧し、使用されていない打席にはミストを噴霧しないので、ミストの噴霧で消費される電力や水が節約されるという効果を奏する。
【００２０】
この実施の形態１では、ミスト制御盤１４がシステム起動中において打席の使用者の有無に応じて開閉制御弁６を開閉するように制御しているが、変形例として、ミスト制御盤１４がシステム起動中は全体を噴霧することを基本とすることができ、使用者による噴霧停止を受付システム１５から取得して開閉制御弁６の開閉を行うようにすることができる。この場合、ミストを広く噴霧することで降温作用を効率良く得ることができる。
【００２１】
実施の形態２．
図５は、この発明の実施の形態２に係るミスト噴霧システムの構成を示す構成図である。
この発明の実施の形態２に係るミスト噴霧システム１Ｂは、この発明の実施の形態１に係るミスト噴霧システム１に打席毎の手元スイッチ８を追加し、それに関連してミスト制御盤１４Ｂでの制御が異なり、それ以外は同様であるので、同様な部分に同じ符号を付記し説明は省略する。
手元スイッチ８は、打席を使用する人が操作するスイッチであり、手元スイッチ８をＯＮすると、ＯＮの信号がミスト制御盤１４Ｂに送られる。
ミスト制御盤１４Ｂは、手元スイッチ８から送られてきたＯＮ信号がある打席に対応する開閉制御弁６を開放して、その打席にミストを噴霧する。
【００２２】
このように、実施の形態２によれば、使用される打席であっても使用する人が降温を望まないときにはミストを噴霧しないので、打席を使用する人の意向を反映して降温することができるという効果を奏する。
また、打席を使用する人がその打席において自分の好みで自由にＯＮ／ＯＦＦの操作をすることができる。
また、打席の手元スイッチ８の操作で直接開閉制御弁６の開閉制御を行っても良く、ミスト制御盤１４を経由しなくても良い。
【００２３】
実施の形態３．
図６は、この発明の実施の形態３に係るミスト噴霧システムの構成を示す構成図である。
この発明の実施の形態３に係るミスト噴霧システム１Ｃは、この発明の実施の形態１に係るミスト噴霧システムとミスト制御盤１４Ｃが異なり、それ以外は同様であるので、同様な部分に同じ符号を付記し説明は省略する。
この発明の実施の形態３に係るミスト制御盤１４Ｃは、受付システム１５から打席の使用の新たな申し込みがあるとき、その打席以外にその打席の左右に隣接する打席に対応する３つの開閉制御弁６を開放して３つの噴霧ノズル３に加圧水を供給する。なお、端に位置する打席の場合には、その打席以外にその打席の左右のいずれかに隣接する打席に対応する２つの開閉制御弁６を開放して２つの噴霧ノズル３に加圧水を供給する。
【００２４】
このように、実施の形態３によれば、使用する打席だけでなく隣接する打席に対応する噴霧ノズル３からもミストを噴霧してスポット的よりエリア的に空気を降温するので、使用する打席をより効果的に降温することができるという効果を奏する。
また、少しの風が吹いていても使用する打席を確実に降温することができる。
【００２５】
なお、使用する打席に隣接する打席を別の人が使用するときには、その別の人の意向を優先する。例えば、先に打席９ｉ＋２を使用しており、そのとき打席９ｉ＋２と隣接する打席９ｉ＋１、９ｉ＋３の３つの打席９に対応する噴霧ノズル３からミストを噴霧している。次に、新たに別の人が打席９ｉ＋１を使用するとともに降温を望んでいないときには、打席９ｉ＋１に対応する噴霧ノズル３からのミストの噴霧を停止する。
【００２６】
また、実施の形態３においては使用する打席と使用する打席に左右に隣接する打席に向けてミストを噴霧しているが、使用する打席に左右に隣接する打席にそれぞれ左または右に隣接する打席にもミストを噴霧しても良い。
【００２７】
なお、実施の形態２及び実施の形態３においても、全体噴霧を基本として、使用者の噴霧停止による開閉制御を行うミスト制御盤としても良い。
以上のような各実施の形態において、ミスト噴霧の目的は冷房だけに限らず、アロマのような芳香や健康増進物質の散布等に用いても良い。
【符号の説明】
【００２８】
１、１Ｂ、１Ｃ  ミスト噴霧システム、２  主配水管、３  噴霧ノズル、４、４ａ〜４Ｎ  子配水管、５  加圧給水装置、６、６ａ〜６Ｎ  開閉制御弁、７  水道、８  手元スイッチ、９、９ｉ＋１、９ｉ＋２、９ｉ＋３  打席、１１  高圧ポンプ、１２  元弁、１３  排水弁、１４、１４Ｂ、１４Ｃ  ミスト制御盤、１５  受付システム、２１  記憶手段、２２  制御手段、２３  内部時計。
【図１】
2010230254.tif 000003
【図２】
2010230254.tif 000004
【図３】
2010230254.tif 000005
【図４】
2010230254.tif 000006
【図５】
2010230254.tif 000007
【図６】
2010230254.tif 000008